(57)【要約】【課題】  ネットワークに接続する端末としてのパーソナルコンピュータ（ＰＣ）に簡単に接続可能で、更に簡易な信号処理と簡易な回路等を用いてサーバの異常をＬＥＤ点灯等により報知できる警告灯システムを提供する。【解決手段】  ＰＣ本体１０がネットワークに接続するサーバ４０の状態を監視し、サーバ４０の異常に対して特定のＵＳＢ用のシリアル信号をＵＳＢポート１５に出力する。ＬＥＤ警告灯制御ボックス２０では、ＵＳＢポート１５から入力されたシリアル信号をパラレル信号に変換し、当該パラレル信号によってＬＥＤ警告灯３０のＬＥＤの点灯を制御する警告灯システムである。【選択図】        図１
2005135054.tif 000002
【特許請求の範囲】
【請求項１】
ネットワークに接続するサーバの異常を複数の警告灯の報知手段を点灯させて報知する警告灯システムであって、
ＵＳＢ端子を備え、前記サーバの状態を示す信号を受信し、当該信号から前記サーバの異常を検出し、異常であれば、当該異常内容を表すＵＳＢ用のシリアル信号を前記ＵＳＢ端子に出力する監視用端末のコンピュータと、
前記ＵＳＢ端子に接続可能で、前記ＵＳＢ用のシリアル信号をパラレル信号に変換し、前記変換されたパラレル信号により前記複数の報知手段のいずれかを選択して報知させる警告灯制御装置とを有することを特徴とする警告灯システム。
【請求項２】
ネットワークに接続するサーバの異常を複数の警告灯の報知手段を点灯させて報知する警告灯システムであって、
ネットワークに接続する監視用端末のコンピュータのＵＳＢ端子から前記サーバの異常内容を表すＵＳＢ用のシリアル信号を入力し、当該ＵＳＢ用のシリアル信号をパラレル信号に変換し、前記変換されたパラレル信号を保持する変換・制御部と、
前記保持されたパラレル信号によって報知手段のいずれかを選択して報知させる報知手段制御部とを有することを特徴とする警告灯システム。
【請求項３】
ネットワークに接続するサーバの異常を複数の警告灯の報知手段を点灯させて報知する警告灯システムであって、
ネットワークに接続する監視用端末のコンピュータのＵＳＢ端子から前記サーバの異常内容を表すＵＳＢ用のシリアル信号を入力して出力するＵＳＢ接続部と、
前記ＵＳＢ接続部から出力されたＵＳＢ用のシリアル信号をパラレル信号に変換すると共に、変換の準備が終了したことを示す制御信号を出力するＵＳＢ・パラレル変換部と、
前記制御信号に基づいて前記変換されたパラレル信号を保持するタイミング信号を出力する小型制御部と、
前記ＵＳＢ・パラレル変換部から出力されたパラレル信号を前記タイミング信号で保持するデータ保持部と、
前記データ保持部で保持された信号によって報知手段のいずれかを選択して報知させる制御信号を前記報知手段に出力するスイッチ部とを有することを特徴とする警告灯システム。
【請求項４】
ＵＳＢ端子を備え、サーバの状態を示す信号を受信し、当該信号から前記サーバの異常を検出し、異常であれば、当該異常内容を表すＵＳＢ用のシリアル信号を前記ＵＳＢ端子に出力する監視用端末のコンピュータと、
前記サーバの異常を複数の警告灯を点灯させて報知する報知手段とを備えることを特徴とする請求項２又は３記載の警告灯システム。
【請求項５】
報知手段に、警告音を発生させて報知を行う手段を追加したことを特徴とする請求項１乃至４記載の警告灯システム。
【請求項６】
サーバの異常内容を表すＵＳＢ用のシリアル信号は、パラレル信号に変換された場合に、いずれの報知手段を制御するものであるのかを予めテーブルにて情報が設定されており、前記ＵＳＢ用のシリアル信号は、前記テーブルを参照してサーバの異常内容に対応した情報に基づいて生成されるものであることを特徴とする請求項１乃至５記載の警告灯システム。
【請求項７】
監視用端末のコンピュータは、表示部と、記憶部と、ＵＳＢ端子に接続するＵＳＢインタフェースと、制御部とを備え、
前記制御部が、前記サーバから入力された信号を基にサーバの異常を判断し、監視ログを前記記憶部に保存し、前記サーバが異常であれば、前記サーバの状態を表示部に表示すると共に、前記ＵＳＢインタフェースを開放して、前記サーバから入力された信号を基に複数の報知手段のいずれかを報知させる信号を前記ＵＳＢインタフェースに出力することを特徴とする請求項１、４、５又は６記載の警告灯システム。
【発明の詳細な説明】
【技術分野】
【０００１】
本発明は、ネットワークに接続するサーバの異常を警告灯の点灯で知らせる警告灯システムに係り、特に、サーバの異常を報知する信号から簡単な処理及び回路にて警告灯を点灯させる警告灯システムに関する。
【背景技術】
【０００２】
ネットワークに接続するサーバの異常を監視する従来のシステムは、サーバでの動作状態を監視するネットワーク接続の端末が、サーバから出力される信号を監視し、サーバに異常が発生したか否かを判断し、異常が発生したのであれば、端末にて異常を報知するものであった。
【０００３】
ネットワークのサーバを監視するシステムの先行技術としては、平成１４年（２００２年）１月２５日公開の「情報配信システムおよび情報処理装置および出力装置」（出願人：キヤノン株式会社、発明者：大和田浩他）がある。
この先行技術は、出力装置の動作状況に関する情報を、情報処理装置を介してユーザに通知し、出力装置の不具合に早急に対処できるものとなっている（特許文献１参照）。
【０００４】
【特許文献１】特開２００２−２３９８７号公報
【発明の開示】
【発明が解決しようとする課題】
【０００５】
しかしながら、従来のサーバ監視システムでは、サーバの異常を端末の表示部に表示するだけであるため、端末から監視者が席を外していると異常を認識できないという問題点があった。
【０００６】
これに対して、ネットワークに接続してネットワークの異常をブザーの鳴音又はＬＥＤ（Light Emitting Diode）の点灯によって報知する装置があるが、その装置はそれらの動作をさせるためのネットワーク接続の専用装置となっていた。つまり、その専用装置は、独立した装置であって、ＯＳ（Operating System）を搭載し、異常を検出するソフトウェアを動作させ、ＬＥＤを点灯させるために当該専用装置に対応した特殊なハードウェアを用いる必要があり、システム全体を高価なものとするとの問題点があった。
【０００７】
本発明は上記実情に鑑みて為されたもので、ネットワークに接続する端末としてのパーソナルコンピュータ（ＰＣ）に簡単に接続可能で、更に簡易な信号処理と簡易な回路等を用いてサーバの異常をＬＥＤ点灯等により報知できる警告灯システムを提供することを目的とする。
【課題を解決するための手段】
【０００８】
本発明は、ネットワークに接続するサーバの異常を複数の警告灯の報知手段を点灯させて報知する警告灯システムであって、ＵＳＢ端子を備え、サーバの状態を示す信号を受信し、当該信号からサーバの異常を検出し、異常であれば、当該異常内容を表すＵＳＢ用のシリアル信号をＵＳＢ端子に出力する監視用端末のコンピュータと、ＵＳＢ端子に接続可能で、ＵＳＢ用のシリアル信号をパラレル信号に変換し、変換されたパラレル信号により複数の報知手段のいずれかを選択して報知させる警告灯制御装置とを有することを特徴としている。
【０００９】
本発明は、ネットワークに接続するサーバの異常を複数の警告灯の報知手段を点灯させて報知する警告灯システムであって、ネットワークに接続する監視用端末のコンピュータのＵＳＢ端子からサーバの異常内容を表すＵＳＢ用のシリアル信号を入力し、当該ＵＳＢ用のシリアル信号をパラレル信号に変換し、変換されたパラレル信号を保持する変換・制御部と、保持されたパラレル信号によって報知手段のいずれかを選択して報知させる報知手段制御部とを有することを特徴としている。
【００１０】
本発明は、上記警告灯システムにおいて、サーバの異常内容を表すＵＳＢ用のシリアル信号が、パラレル信号に変換された場合に、いずれの報知手段を制御するものであるのかを予めテーブルにて情報が設定されており、ＵＳＢ用のシリアル信号が、テーブルを参照してサーバの異常内容に対応した情報に基づいて生成されるものであることを特徴としている。
【発明の効果】
【００１１】
本発明によれば、ネットワークに接続するサーバの異常を複数の警告灯の報知手段を点灯させて報知する警告灯システムにおいて、サーバの状態を示す信号からサーバの異常を検出し、異常であれば、当該異常内容を表すＵＳＢ用のシリアル信号をＵＳＢ端子に出力する監視用端末のコンピュータと、ＵＳＢ用のシリアル信号をパラレル信号に変換し、変換されたパラレル信号により複数の報知手段のいずれかを選択して報知させる警告灯制御装置とを有する警告灯システムとしているので、監視用端末のコンピュータに警告灯制御装置を接続することで、簡易に複数の警告灯を用いた報知を行うことができる効果がある。
【００１２】
本発明によれば、ネットワークに接続するサーバの異常を複数の警告灯の報知手段を点灯させて報知する警告灯システムにおいて、ネットワークに接続する監視用端末のコンピュータのＵＳＢ端子からサーバの異常内容を表すＵＳＢ用のシリアル信号を入力し、当該ＵＳＢ用のシリアル信号をパラレル信号に変換し、変換されたパラレル信号を保持する変換・制御部と、保持されたパラレル信号によって報知手段のいずれかを選択して報知させる報知手段制御部とを有する警告灯システムとしているので、監視用端末のコンピュータからのＵＳＢ用のシリアル信号で警告灯の報知手段を簡易な構成で容易に制御できる効果がある。
【００１３】
本発明によれば、サーバの異常内容を表すＵＳＢ用のシリアル信号が、パラレル信号に変換された場合に、いずれの報知手段を制御するものであるのかを予めテーブルにて情報が設定されており、ＵＳＢ用のシリアル信号が、テーブルを参照してサーバの異常内容に対応した情報に基づいて生成される上記警告灯システムとしているので、サーバの異常内容に対応した報知手段の制御を容易に設計できる効果がある。
【発明を実施するための最良の形態】
【００１４】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１５】
本発明の実施の形態に係る警告灯システムは、ネットワークに接続するサーバの状態を監視し、サーバの異常に対して特定の信号をＵＳＢ（Universal Serial Bus）ポートに接続するＬＥＤ警告灯制御ボックス（ＢＯＸ）に出力する。ＬＥＤ警告灯制御ボックスでは、ＵＳＢポートから入力されたシリアル信号をパラレル信号に変換し、当該パラレル信号によってＬＥＤ警告灯のＬＥＤの点灯を制御するものである。
よって、パーソナルコンピュータ（ＰＣ）であれば通常設けられているＵＳＢポートに、ＬＥＤ警告灯制御ボックスを接続することで、システム構成を容易に構築でき、更にＵＳＢポートから入力されたＵＳＢの信号をパラレル信号に変換してＬＥＤ警告灯の点灯を制御するため、簡易な信号処理にて実現できる。
【００１６】
本発明の実施の形態について図１を参照しながら説明する。図１は、本発明の実施の形態に係るＬＥＤ警告灯システムの構成ブロック図である。
本発明の実施の形態に係るＬＥＤ警告灯システム（本システム）は、図１に示すように、パーソナルコンピュータ（ＰＣ）本体１０と、ＬＥＤ警告灯制御ボックス（ＢＯＸ）２０と、ＬＥＤ警告灯３０と、サーバ４０と、集線装置（ＨＵＢ）５０とから基本的に構成されている。
【００１７】
ＰＣ本体１０はネットワークカード（図示せず）でＨＵＢ５０に接続し、ＨＵＢ５０は更にサーバ４０に接続している。
また、ＰＣ本体１０にはＵＳＢポート（ＵＳＢ端子）１５が設けられ、そのＵＳＢポート１５にＬＥＤ警告灯制御ＢＯＸ２０を接続し、そのＬＥＤ警告灯制御ＢＯＸ２０にはＬＥＤ警告灯３０が接続している。
また、ＰＣ本体１０には、表示部１６と入力部１７とが接続されている。
【００１８】
次に、本システムの各部の構成について具体的に説明する。
ＰＣ本体１０は、制御部（ＣＰＵ：Central Processing Unit）１１と、メモリ１２と、ハードディスク（ＨＤ：Hard Disk）１３と、ＵＳＢインタフェース１４と、ＵＳＢポート１５とを備えている。
【００１９】
メモリ１２は、ＨＤ１３に格納されたプログラムを一時的に動作させる主記憶領域であり、プログラム制御によるデータ、変数等も一時的に記憶するメインメモリである。
ＨＤ１３は、本システムにおけるプログラム、ログ情報、その他関連データを記憶する記憶領域であり、メモリ１２が電源オフでメモリ内容を消去するのに対して、ＨＤ１３は電源オフでもデータ等を保存可能となっている。
また、ＨＤ１３には、本発明の特徴部分であるＬＥＤ点灯制御処理プログラムを格納している。当該プログラムの具体的処理については後述する。
【００２０】
ＵＳＢインタフェース１４は、ＵＳＢポート１５に接続し、ＣＰＵ１１からのコマンドをＵＳＢ用の信号に変換し、ＵＳＢポート１５からのＵＳＢ用の信号をＣＰＵ１１用の信号に変換する機能を備えている。
従って、ＵＳＢインタフェース１４では、信号変換を行うための変換テーブルにアクセスしてそれを参照するものとなっている。この変換テーブルは、制御目的に応じて予め設定されているものである。尚、変換テーブルは、ＨＤ１３に保持させるようにしてもよい。
【００２１】
ＣＰＵ１１は、ＰＣ本体１０の各部及び接続する表示部１６、入力部１７への入出力を制御する。
また、ＣＰＵ１１は、ＨＤ１３に格納されたサーバ監視ソフトウェアをメモリ１２で動作させ、サーバ４０からの信号を受け、当該信号のログを保存すると共に、その信号がサーバ４０及びネットワーク等の異常を示す信号であれば、その異常状態を表示部１６に表示する。
【００２２】
また、ＣＰＵ１１は、ＨＤ１３に格納されたＬＥＤ点灯制御処理プログラムをメモリ１２にロードして動作させる。
ＬＥＤ点灯制御処理プログラムは、ＣＰＵ１１の制御によって、サーバ監視ソフトウェアからサーバ異常の通知があると、ＵＳＢのインタフェースを解放し、監視端末の状態を表示部１６に表示し、サーバ４０からの送信信号を基に警告灯の点灯色を特定するコマンドを配信するものである。そして、配信されたコマンドは、変換テーブルで所望のＵＳＢのシリアル信号に変換される。
【００２３】
ＵＳＢポート１５は、ＰＣ本体１０に設けられた入出力ポートであり、そのポートにＬＥＤ警告灯制御ＢＯＸ２０の一方の端子（ＵＳＢ接続部）が接続される。
ＵＳＢポート１５は、ＵＳＢインタフェース１４からのＵＳＢ用の信号をＬＥＤ警告灯制御ＢＯＸ２０に出力し、ＬＥＤ警告灯制御ＢＯＸ２０からのＵＳＢ用の信号をＵＳＢインタフェース１４に出力する。
【００２４】
表示部１６は、サーバ４０における異常状態を表示する表示装置である。
入力部１７は、必要な指示を入力するもので、キーボード、マウス等で構成される。
【００２５】
ＬＥＤ警告灯制御ＢＯＸ２０は、ＵＳＢポート１５から入力されるシリアル信号をパラレル信号に変換し、変換された信号を用いてＬＥＤ点灯又はブザー鳴音の制御を行う制御信号を発生させるものである。
ＬＥＤ警告灯制御ＢＯＸ２０の具体的構成及び動作については図を用いて後述する。
【００２６】
ＬＥＤ警告灯３０は、少なくとも赤、黄、緑の色を点灯させるＬＥＤと、警告音を発生させるブザーとを備え、ＬＥＤ警告灯制御ＢＯＸ２０から入力される制御信号によって各ＬＥＤを点灯させ、ブザーを鳴音させるものである。
また、ＬＥＤ警告灯３０の具体的構成及び動作についても図を用いて後述する。
【００２７】
サーバ４０は、ネットワークにおける特定の処理を実行するコンピュータである。また、サーバ４０は、異常が発生するとその異常をＰＣ本体１０に知らせるようになっている。
ＨＵＢ５０は、ネットワークの集線装置であり、サーバ４０とＰＣ本体１０とを接続している。尚、図示していないが、一般的にＨＵＢ５０には複数のＰＣ又はサーバが接続する構成となっている。
【００２８】
次に、本システムにおける動作の概略について図１を参照しながら説明する。
ＰＣ本体１０は、ＨＤ１３からＬＥＤ点灯制御処理プログラムを読み込み、メモリ（メインメモリ）１２に展開して実行させる。また、ＰＣ本体１０は、同様に、サーバ監視ソフトウェアを起動した状態とする。
サーバ監視ソフトウェア及びＬＥＤ点灯制御処理プログラムが実行されると、サーバ４０から送信された信号について以下に示す特定の処理を行うものである。
【００２９】
サーバ４０でネットワークの状態若しくはサーバの状態を、ＨＵＢ５０を介してＰＣ本体１０に信号によって通知している。
そして、サーバ４０から通知された信号について、サーバ監視ソフトウェアは異常であるか否かを検出し、その結果をＬＥＤ点灯制御処理プログラムに通知する。
ＰＣ本体１０は、サーバ監視ソフトウェアからの通知が異常を示す信号であるか否かを判断し、いずれの場合もログを保存する。
【００３０】
そして、ＬＥＤ点灯制御処理プログラムにて、通知された信号が異常を示す信号である時に、その異常の内容に応じて特定のコマンドをＵＳＢインタフェース１４に出力する。
ＵＳＢインタフェース１４では、特定のコマンドをＵＳＢ用のシリアル信号に変換してＵＳＢポート１５へ出力する。ここで、特定の信号への変換は、ＨＤ１３に予め記憶させた変換テーブル等を用いて行う。当該変換された信号がＬＥＤ警告灯３０のＬＥＤをオン／オフさせる制御信号となる。
ＵＳＢポート１５は、ＵＳＢインタフェース１４から入力されるシリアル信号をＬＥＤ警告灯制御ＢＯＸ２０に出力する。
【００３１】
ＬＥＤ警告灯制御ＢＯＸ２０は、ＵＳＢポート１５から入力されるシリアル信号をパラレル信号に変換し、パラレル変換した信号を基に各ＬＥＤ又はブザーを制御する制御信号を生成し、ＬＥＤ警告灯３０に出力する。
ＬＥＤ警告灯３０は、制御信号により各ＬＥＤ等を点灯させるようになっている。
このようにして、本システムにおいてサーバ４０に異常があると、ＬＥＤ警告灯３０が点灯し、又はブザーが鳴音するものである。
【００３２】
次に、ＬＥＤ警告灯制御ＢＯＸ２０及びＬＥＤ警告灯３０の構成及び動作について図２を参照しながら説明する。図２は、本発明の実施の形態に係るＬＥＤ警告灯制御ＢＯＸ２０及びＬＥＤ警告灯３０の構成を示すブロック図である。
【００３３】
ＬＥＤ警告灯制御ＢＯＸ２０は、データ変換・制御部と、ＬＥＤ制御・電源供給部とから構成されている。
データ変換・制御部は、ＵＳＢ用のシリアル信号をＲＳ２３２Ｃ又はＲＳ４２２のパラレル信号に変換し、制御信号を出力するものであり、また、ＲＳ２３２Ｃ又はＲＳ４２２のパラレル信号をＵＳＢ用のシリアル信号に変換する処理も行う。
ＬＥＤ制御・電源供給部は、データ変換・制御部でパラレル信号に変換され、制御信号として出力された信号を入力し、当該制御信号によってＬＥＤ警告灯３０を制御する信号を出力し、電源電圧をＬＥＤ警告灯３０に供給するものである。
【００３４】
図２において、変換・制御部に相当するのが、ＵＳＢ接続部（USB Connect）２１と、ＵＳＢ・パラレル変換部（USB Parallel Convert Module）２２と、小型制御部（Micro Controllers）２３と、データラッチ部（Data Latches）２４，２５と、ＬＥＤ２７である。
また、図２において、ＬＥＤ制御・電源供給部に相当するのが、スイッチ部（Transistor Switch）２６と、電源供給部（Power Unit）３２である。
そして、図２では、ＬＥＤ警告灯３０におけるブザー、警告灯（Warning Light）３１が示されている。
【００３５】
ＵＳＢ接続部２１は、ＬＥＤ警告灯制御ＢＯＸ２０をＰＣ本体１０のＵＳＢポート１５に接続するもので、ＵＳＢポート１５からのＵＳＢ用のシリアル信号を入力し、ＵＳＢ・パラレル変換部２２に出力する。
【００３６】
ＵＳＢ・パラレル変換部２２は、ＵＳＢ接続部２１から入力されたＵＳＢ用のシリアル信号が変換準備完了すると小型制御部２３に出力すると共に、当該シリアル信号をＲＳ２３２Ｃ又はＲＳ４２２等のパラレル信号に変換開始し、変換されたパラレル信号をデータラッチ部２４に出力する。
また、ＵＳＢ・パラレル変換部２２は、データラッチ部２５から入力されたパラレル信号を小型制御部２３からの指示によりＵＳＢ用のシリアル信号に変換開始し、ＵＳＢ接続部２１に出力する。
【００３７】
小型制御部２３は、ＵＳＢ・パラレル変換部２２におけるシリアル／パラレル又はパラレル／シリアル変換のタイミングを制御し、データラッチ部２４，２５におけるラッチのタイミングを制御し、ＬＥＤ２７の点灯を制御するものである。
【００３８】
データラッチ部（データ保持部）２４は、小型制御部２３からのタイミングによりＵＳＢパラレル変換部２２から出力されたパラレル信号をラッチし、Ｄout 信号としてスイッチ部２６に出力する。
データラッチ部（データ保持部）２５は、小型制御部２３からのタイミングによりスイッチ部２６から出力されたＤinのパラレル信号をラッチし、ＵＳＢ・パラレル変換部２２に出力する。
ＬＥＤ２７は、ＬＥＤ警告灯制御ＢＯＸ２０に設けられたＬＥＤであって、ＬＥＤ警告灯制御ＢＯＸ２０がＰＣ本体１０のＵＳＢポート１５に接続された状態で、ＰＣ本体１０から電源の供給を受け、点灯する報知手段である。
【００３９】
スイッチ部２６は、データラッチ部２４からのＤout 信号を基にスイッチ動作を行い、警告灯３１に制御信号を出力する。
また、スイッチ部２６は、外部から入力されたＲＳ２３２Ｃ又はＲＳ４２２等のパラレル信号をデータラッチ部２５に出力する。
【００４０】
警告灯３１は、赤、黄、緑の色のＬＥＤであり、電源部３２から電源の供給を受けて、スイッチ部２６からの制御信号によって点灯する。
電源部３２は、ＬＥＤ警告灯３０に電源を供給するものである。
【００４１】
図２では、ＵＳＢ接続部２１から入力されるＵＳＢ用のシリアル信号によってＬＥＤ警告灯３０でのＬＥＤの点灯を制御するものであったが、外部からスイッチ部２６に入力されたパラレル信号を用いてＰＣ本体１０に特定のＵＳＢ用の信号を送出し、ＰＣ本体１０を制御するようにしてもよい。
【００４２】
次に、本発明の実施の形態に係るＬＥＤ警告灯３０の構成及び動作について図３を参照しながら説明する。図３は、本発明の実施の形態に係るＬＥＤ警告灯３０の構成を示すブロック図である。
図３に示すように、ＬＥＤ警告灯３０は、「赤」「黄」「緑」「青」「白」の各ＬＥＤユニットと、各ＬＥＤに各色用の信号と共通信号を提供する制御を行い、ブザーの制御も行う制御ユニットとを備え、赤色用信号線にはオレンジ色（Orange）の信号線が接続され、黄色用信号線には黄色（Yellow）の信号線が接続され、緑色用信号線には緑色（Green）の信号線が接続され、ブザーユニット（Buzzer Unit）には茶色（Brawn）の信号線が接続されている。
尚、共通線の色は白色であり、白色用信号線の色は灰色となっている。
【００４３】
また、ＬＥＤ警告灯３０の外部には、１アンペア（１Ａ）のフューズ（Fuse）が電源部（ＤＣ２４Ｖ）のプラス（＋）と共通線との間に設けられており、電源部のマイナス（−）側は接地（ＧＮＤ）され、各色用の信号線においてＬＥＤユニット側ではない他方の端部と電源部のマイナスとは外部接点を介して接続されている。
【００４４】
各色のＬＥＤユニットに電源部から電源が供給された状態で、オレンジ色（Orange）の信号線、黄色（Yellow）の信号線、緑色（Green）の信号線、茶色（Brawn）の信号線に信号入力があると、「赤」「黄」「緑」のＬＥＤが点灯し、また、ブザーが鳴音するものである。
【００４５】
次に、図２にけるスイッチ部の構成について図４を参照しながら説明する。図４は、本発明の実施の形態に係るスイッチ部の回路図である。
図４に示すように、２つのコネクタは、図２に示すデータラッチ部２４のＤout 端子（コネクタ）とデータラッチ部２５のＤin端子（コネクタ）に対応している。
図４では、Ｄout 端子（USB D-OUT Port）からの出力の構成が示されている。
【００４６】
具体的には、Ｄout 端子（USB D-OUT Port）の「０」端子がＤ00に、「１」端子がＤ01に、「２」端子がＤ02に、「３」端子がＤ03にそれぞれ接続し、Ｄ00〜Ｄ03が抵抗Ｒ（１０Ｋ）を介してＮＰＮ形トランジスタ（2SC1567）のベースに接続している。トランジスタのエミッタは接地され、コレクタは抵抗Ｒ（１．２Ｋ）を介してオレンジ色（Orange）の信号線、黄色（Yellow）の信号線、緑色（Green）の信号線、茶色（Brawn）の信号線に接続している。これら信号線は、ＬＥＤ警告灯３０の同じ色の信号線に接続されるものである。
また、茶色の信号線に接続するトランジスタのコレクタには、抵抗に並列にダイオード（1N4004）が接続されている。
【００４７】
図４における動作は、Ｄ00〜Ｄ03のいずれかに出力があって、これらの信号線に電圧が印加されると、トランジスタのベースに電圧が印加して、トランジスタのコレクタからエミッタに電流が流れ、すると、対応する信号線においても電流が流れるため、電流が流れた信号線が接続するＬＥＤユニット又は制御ユニットにも電流が流れて、ＬＥＤの発光（点灯）又はブザーの鳴音が為されるものである。
【００４８】
次に、図２におけるＵＳＢ接続部２１、ＵＳＢ・パラレル変換部２２、小型制御部２３、データラッチ部２４，２５の具体的回路について図５を参照しながら説明する。図５は、本発明の実施の形態に係る変換・制御部の回路構成図である。
ＵＭ０１−ＦＩＦＯは、ＵＳＢ・パラレル変換部２２、小型制御部２３に相当するＵＳＢモジュールで、ＤＩＰ２４ピンのスペースにＵＳＢの核となるＦＴ８Ｕ２４５ＡＭを採用し周辺にリセッタブルヒューズ、クリスタル、ＥＥＰＲＯＭ、リセット回路等配置したものであり、ＵＳＢコネクタ（ＵＳＢ接続部）を接続するだけで内部ＦＩＦＯメモリを通してＵＳＢ通信を行うことができる。
【００４９】
尚、ＵＭ０１−ＦＩＦＯの端子１にはＵＳＢ接続部２１のＶBus が、端子２にはＤ- が、端子３にはＤ+ が、端子４にはＧＮＤが接続され、端子６，７，９，１０でコンデンサに接続してＶccの出力電圧を形成している。
また、ＵＭ０１−ＦＩＦＯの端子１３〜１６には信号線ＲＢ０〜ＲＢ３が接続されている。この信号線ＲＢ０〜ＲＢ３は、図６のＬＥＤ回路に接続するようになっている。
【００５０】
ＨＣ５７４は、データラッチ部に相当するロジックＩＣである。上段のＨＣ５７４がＤout 端子を備え、データラッチ部２４に、下段のＨＣ５７４がＤin端子を備え、データラッチ部２５に相当している。
【００５１】
次に、本発明の実施の形態に係るＬＥＤ警告灯制御ＢＯＸ２０のＬＥＤ回路について図６を参照しながら説明する。図６は、本発明の実施の形態に係るＬＥＤ警告灯制御ＢＯＸ２０のＬＥＤ回路の回路図である。
図６に示すように、１６Ｆ８４Ａは、１８ピンフラッシュ／ＥＥＰＲＯＭ８ビットマイクロコントローラで、端子ＲＡ２に接続するＬＥＤの点灯を制御するものである。
ＬＥＤのアノードは抵抗を介してＶccの電圧が印加されている。
【００５２】
１６Ｆ８４Ａの端子ＭＣＬＲは、抵抗とコンデンサとの直列接続の中間位置に接続し、抵抗の他端にはＶccの電圧が印加され、コンデンサの他端は接地されている。
また、１６Ｆ８４Ａの端子ＯＳＣ１とＯＳＣ２には、セラミック発振子（Ceralock）が接続され、また、端子ＲＢ０〜ＲＢ７には、図５の信号線ＲＢ０〜ＲＢ７が接続されるようになっている。
【００５３】
図６のＬＥＤ回路は、図５のＵＭ０１−ＦＩＦＯでシリアル／パラレル変換又はパラレル／シリアル変換が為されている場合に、ＬＥＤを点灯させるようになっている。つまり、ＬＥＤ警告灯制御ＢＯＸ２０が動作していることを当該ＬＥＤの点灯で示していいる。
【００５４】
次に、本発明の実施の形態に係るＰＣ本体１０内でのＬＥＤ点灯制御処理プログラムの動作について図７を参照しながら説明する。図７は、ＰＣ本体１０でのＬＥＤ点灯制御処理の流れを示すフローチャートである。
図７に示すように、ＰＣ本体１０のＣＰＵ１１がＬＥＤ点灯制御処理プログラムをＨＤ１３からロードしてメインメモリ１２に展開し、更にサーバ監視ソフトウェアも同様に動作可能の状態にあるときに、サーバ４０からＰＣ本体１０に信号入力があると、サーバ監視ソフトウェアはその入力信号がサーバの異常を示すものであるか否かの通知をＬＥＤ点灯制御処理プログラムに出力する。
【００５５】
すると、ＬＥＤ点灯制御処理プログラムは、サーバ監視ソフトウェアからの通知が異常を示すものであるか否かを判断する（Ｓ１１）。
異常の通知でなければ（Ｎｏの場合）、監視ログを保存して（Ｓ１３）、処理を終了する。
また、異常の通知であれば（Ｙｅｓの場合）、監視ログを保存して（Ｓ１２）、ＵＳＢインタフェース１４を開放する（Ｓ１４）。
続いて、監視端末であるＰＣの表示部１６にサーバ４０の異常状態を表示し（Ｓ１５）、サーバ４０からの送信信号を基に警告灯の点灯色を特定するコマンドを配信し（Ｓ１６）、処理を終了する。
【００５６】
配信されたコマンドは、ＵＳＢインタフェース１４でＵＳＢ信号に変換されてＵＳＢポート１５に出力される。ＵＳＢ信号は、ＬＥＤ警告灯制御ＢＯＸ２０でパラレル信号に変換されるので、パラレルに変換された時に何番の端子の信号をオン状態にするのかを予め定めたものとなっている。
例えば、コマンドに対応したＵＳＢ信号のデータが「オフ」「オン」「オフ」「オフ」の順のシリアル信号であると、パラレル変換した場合の第１の信号線を「オフ」に、第２の信号線を「オン」に、第３の信号線を「オフ」に、第４の信号線を「オフ」にした状態で、パラレルに信号のデータが出力されるものである。
【００５７】
従って、ＵＳＢのシリアル信号が何番の信号線を「オン」にして何番のＬＥＤを点灯させるものなのかを予め設計した上で、ＵＳＢのシリアル信号が決定され、更にそのシリアル信号に対応するコマンドがテーブル等で管理されるようになっている。つまり、この変換テーブルでコマンドに対して点灯するＬＥＤが定義付けられ、シリアル信号が形成されるものである。
【００５８】
また、図７の処理フローで、ＬＥＤ点灯制御処理プログラムが、監視ログの保存と状態表示を行うようになっているが、監視ログの保存と状態表示の処理をサーバ監視ソフトウェアに行わせるようにしてもよい。
【００５９】
本発明の実施の形態に係る警告灯システムによれば、サーバ４０における状態を示す信号をＰＣ本体１０で受信し、その状態を示す信号からサーバ４０での異常が検出されると、当該異常に関するコマンドが発せられ、そのコマンドに対してどのＬＥＤ又はブザーを点灯又は鳴音させるためのＵＳＢ用のシリアル信号を出力すると、ＬＥＤ警告灯制御ＢＯＸ２０でシリアル信号をパラレル信号に変換し、当該パラレル信号で該当するＬＥＤ等を点灯させるための制御信号をＬＥＤ警告灯３０に出力して、ＬＥＤ等の点灯を制御しているので、ＰＣ本体１０のＵＳＢポート１５に簡単に接続可能なＬＥＤ警告灯制御ＢＯＸ２０とＬＥＤ警告灯３０により簡易な処理及び構成で、サーバ４０の異常を管理者が端末の前を離れていても、容易に報知できる効果がある。
【産業上の利用可能性】
【００６０】
本発明は、ネットワークに接続する端末装置に簡易にＬＥＤ警告灯等を接続でき、サーバの異常を簡易な処理と簡易な構成で実現できる警告灯システムに好適である。
【図面の簡単な説明】
【００６１】
【図１】本発明の実施の形態に係るＬＥＤ警告灯システムの構成ブロック図である。
【図２】本発明の実施の形態に係るＬＥＤ警告灯制御ＢＯＸ２０及びＬＥＤ警告灯３０の構成を示すブロック図である。
【図３】本発明の実施の形態に係るＬＥＤ警告灯３０の構成を示すブロック図である。
【図４】本発明の実施の形態に係るスイッチ部の回路図である。
【図５】本発明の実施の形態に係る変換・制御部の回路構成図である。
【図６】本発明の実施の形態に係るＬＥＤ警告灯制御ＢＯＸ２０のＬＥＤ回路の回路図である。
【図７】ＰＣ本体１０でのＬＥＤ点灯制御処理の流れを示すフローチャートである。
【符号の説明】
【００６２】
１０…ＰＣ本体、  １１…ＣＰＵ、  １２…メモリ、  １３…ＨＤ、  １４…ＵＳＢインタフェース、  １５…ＵＳＢポート、  １６…表示部、  １７…入力部、  ２０…ＬＥＤ警告灯制御ＢＯＸ、  ２１…ＵＳＢ接続部、  ２２…ＵＳＢ・パラレル変換部、  ２３…小型制御部、  ２４…データラッチ部、  ２５…データラッチ部、  ２６…スイッチ部、  ２７…ＬＥＤ、  ３０…ＬＥＤ警告灯、  ３１…警告灯、  ３２…電源部
【図１】
2005135054.tif 000003
【図２】
2005135054.tif 000004
【図３】
2005135054.tif 000005
【図４】
2005135054.tif 000006
【図５】
2005135054.tif 000007
【図６】
2005135054.tif 000008
【図７】
2005135054.tif 000009